(57)【要約】【課題】本発明は、違法にデータが複製された光ディスクを作製困難にすることができる。【解決手段】本発明は、主のデータ列に応じた長さによる記録マークとしてのピット５及びスペースＳｐが情報記録面３Ａのトラック中心線ＣＴＲ線上に形成されることにより主データ列が予め記録された光ディスク１００Ｃに対して、最長でなる長さ１１Ｔのピット５及びスペースＳｐの中心からディスク内外周方向に任意の距離だけずれた目標照射位置に光ビームＬを照射することにより、情報記録面３Ａの反射率を局所的に変化させて符号マークＭＫを形成し、光ディスク１００Ｃに副のデータ列である変調識別符号ＥＤｒを記録するようにする。【選択図】図３
2009187634.tif 000002
【特許請求の範囲】
【請求項１】
主のデータ列に応じた長さによる記録マーク及びスペースが情報記録面のトラック中心線上に形成されることにより上記主のデータ列が予め記録された光ディスクに対して、所定長さ以上の上記記録マーク若しくは上記スペース、又は所定長さ以上の上記記録マーク及びスペースにおけるトラック中心線からディスク内外周方向に所定距離だけずれた目標照射位置に光ビームを照射することにより、上記情報記録面の反射率を局所的に変化させて、副のデータ列を上記光ディスクに記録する記録部
を具えることを特徴とする光ディスク記録装置。
【請求項２】
上記記録部は、
上記光ビームを出射する光源と、
上記光ディスクに対して上記光ビームを集光して照射する対物レンズと、
上記対物レンズを駆動する対物レンズ駆動部と、
上記光ビームが上記光ディスクによって反射されてなる反射光ビームに基づいて、上記目標照射位置に上記光ビームを照射するように上記対物レンズ駆動部を制御すると共に、上記目標照射位置に照射される上記光ビームの出射光強度を大きく立ち上げるよう上記光源を制御する記録制御部と
を具えることを特徴とする請求項１に記載の光ディスク記録装置。
【請求項３】
上記記録制御部は、
複数の上記記録マーク若しくは上記スペース、又は上記記録マーク及びスペースに上記副のデータ列の１ビットごとに記録する
ことを特徴とする請求項２に記載の光ディスク記録装置。
【請求項４】
上記記録制御部は、
上記副のデータ列を擬似乱数系列により変調して得られるデータ列に応じて、局所的に前記情報記録面の反射率を変化させることにより、上記副のデータ列を上記光ディスクに記録する
ことを特徴とする請求項３に記載の光ディスク記録装置。
【請求項５】
記録マーク又は当該記録マークが記録されている隣接トラック間の距離をｐ、上記所定距離をＤとしたとき、次式を満たす
【数１】
2009187634.tif 000006
ことを特徴とする請求項４に記載の光ディスク記録装置。
【請求項６】
上記副のデータ列は、
前記ディスク状記録媒体を識別する識別データ列でなる
ことを特徴とする請求項４に記載の光ディスク記録装置。
【請求項７】
上記主のデータ列は、
暗号化されたデータ列でなり、
上記副のデータ列は、
上記主のデータ列の暗号化の解除に必要なデータ列でなる
ことを特徴とする請求項１に記載の光ディスク記録装置。
【請求項８】
上記副のデータ列は、
上記主のデータ列の再生回数のデータでなる
ことを特徴とする請求項１に記載の光ディスク記録装置。
【請求項９】
上記副のデータ列は、
上記主のデータ列のコピー回数のデータでなる
ことを特徴とする請求項１に記載の光ディスク記録装置。
【請求項１０】
上記記録制御部は、
上記反射光ビームに基づいて、上記所定長さ以上の上記記録マーク若しくは上記スペース、又は上記所定長さ以上の上記記録マーク及びスペースを上記光ビームが走査するタイミングを予測し、当該予測結果に基づいて上記目標照射位置を決定する
ことを特徴とする請求項２に記載の光ディスク記録装置。
【請求項１１】
上記記録制御部は、
上記反射光ビームに基づいて、上記所定長さ以上の上記記録マーク若しくは上記スペース、又は上記所定長さ以上の上記記録マーク及びスペースを上記光ビームが走査するタイミングを予測すると共に当該予測結果を一時記憶し、
上記副のデータ列及び上記予測結果に基づいて上記目標照射位置を決定する
ことを特徴とする請求項２に記載の光ディスク記録装置。
【請求項１２】
上記光ディスク記録装置は、
上記光ディスクに対してサーボ制御用のサーボ用光ビームを照射し、当該サーボ用光ビームが上記光ディスクに反射されてなるサーボ反射光ビームに基づいて、上記サーボ用光ビームを上記記録マークにおける２つのエッジの中心及び上記スペースにおける２つのエッジの中心にそれぞれ照射するサーボ光学系
を具え、
上記記録部は、
上記サーボ光ビームから所定距離だけずれた位置に上記光ビームを照射することにより、上記目標照射位置に上記光ビームを照射する
ことを特徴とする請求項１に記載の光ディスク記録装置。
【請求項１３】
上記記録制御部は、
上記サーボ反射光ビームに基づいて上記目標照射位置を決定する
ことを特徴とする請求項１２に記載の光ディスク記録装置。
【請求項１４】
主のデータ列に応じた長さによる記録マーク及びスペースが情報記録面のトラック中心線上に形成されることにより上記主のデータ列が予め記録された光ディスクに対して、所定長さ以上の上記記録マーク若しくは上記スペース、又は上記所定長さ以上の上記記録マーク及びスペース上の上記トラック中心線からディスク内外周方向に所定距離だけずれた目標照射位置に光ビームを照射することにより、上記情報記録面の反射率を局所的に変化させて、副のデータ列を上記光ディスクに記録する記録ステップ
を具えることを特徴とする記録方法。
【請求項１５】
主のデータ列に応じた長さによる記録マーク及びスペースが情報記録面のトラック中心線上に形成されることにより上記主のデータ列が記録されると共に、所定長さ以上の上記記録マーク若しくは上記スペース、又は上記所定長さ以上の上記記録マーク及びスペース上の上記トラック中心線からディスク内外周方向に所定距離だけずれた目標照射位置に上記情報記録面の反射率を局所的に変化させることにより、副のデータ列が記録されてなる
ことを特徴とする光ディスク。
【請求項１６】
光ビームを出射する光源と、
主のデータ列に応じた長さによる記録マーク及びスペースが情報記録面のトラック中心線上に形成されることにより上記主のデータ列が記録されると共に、所定長さ以上の上記記録マーク若しくは上記スペース、又は上記所定長さ以上の上記記録マーク及びスペース上の上記トラック中心線からディスク内外周方向に所定距離だけずれた目標照射位置に上記情報記録面の反射率を局所的に変化させることにより副のデータ列が記録されてなる光ディスクに対し、上記光ビームを集光して照射する対物レンズと、
上記光ディスクによって上記光ビームが反射されてなる反射光ビームを上記ディスク内外周方向に２分割された検出領域によって受光する受光部と、
上記反射光ビームの和光量に基づいて上記主のデータ列を再生する主再生部と、
上記反射光ビームの上記２分割された検出領域間の光量差の変化に基づいて上記副のデータ列を再生する副再生部と、
上記副のデータ列が正しく再生できない場合には、上記主のデータ列の再生を停止する再生停止部と
を具えることを特徴とする光ディスク再生装置。
【発明の詳細な説明】
【技術分野】
【０００１】
本発明は、光ディスク記録装置、記録方法、光ディスク及び光ディスク再生装置に関し、例えばＣＤ（Compact Disc）、ＤＶＤ（Digital Versatile Disc）又はＢＤ（Blu-ray Disc、登録商標）など各種方式に対応した光ディスクに適用することができる。
【背景技術】
【０００２】
従来、例えばＣＤでは、記録に供するデータ列をデータ処理した後、ＥＦＭ変調（Eight to Fourteen Modu1ation）することにより、所定の基本長さＴに対して長さ３Ｔ〜１１Ｔのピット列が形成され、これによりオーディオデータなどが記録されるようになされている。
【０００３】
ところで、ＣＤ−ＲＯＭ（Read Only Memory）、ＤＶＤ−ＲＯＭ、及びＢＤ−ＲＯＭなどのＲＯＭメディアは、スタンパと呼ばれる型を用いてデータを表すピット列を成型することにより形成される。
【０００４】
これらのＲＯＭメディアでは、オーディオデータや映像データなどを記録した状態で販売されることが想定されている。仮にこのＲＯＭメディアにデータをそのまま記録して販売すると、違法にデータが複製された光ディスクを簡単に作製することが可能となってしまう。
【０００５】
そこで、ＲＯＭメディアにデータを表すピット列を記録する際、当該ピット列を光ディスクの半径方向にずらして形成することにより、当該ＲＯＭメディアを復号化するための鍵データを当該ＲＯＭメディアに埋め込むようになされた光ディスクが提案されている（例えば特許文献１参照）。
【特許文献１】特開２００６−１２７７５６公報
【発明の開示】
【発明が解決しようとする課題】
【０００６】
ところで、かかる構成のＲＯＭメディアでは、保護膜及びアルミ反射膜を剥離してピット列を表出させた上で、ピット列を転写してスタンパを作成することにより複製可能であり、これにより違法にデータが複製された光ディスクを作製できてしまうという問題があった。
【０００７】
本発明は以上の点を考慮してなされたもので、違法にデータが複製された光ディスクを作製困難にし得る光ディスク記録装置、記録方法、光ディスク及び光ディスク再生装置を提案しようとするものである。
【課題を解決するための手段】
【０００８】
かかる課題を解決するため本発明の光ディスク記録装置においては、主のデータ列に応じた長さによる記録マーク及びスペースが情報記録面のトラック中心線上に形成されることにより主のデータ列が予め記録された光ディスクに対して、所定長さ以上の記録マーク若しくはスペース、又は所定長さ以上の記録マーク及びスペースにおけるトラック中心線からディスク内外周方向に所定距離だけずれた目標照射位置に光ビームを照射することにより、情報記録面の反射率を局所的に変化させて、副のデータ列を光ディスクに記録する記録部を設けるようにした。
【０００９】
これにより、複製が困難な状態で光ディスクに副のデータ列を記録することができる。
【００１０】
また本発明の記録方法においては、主のデータ列に応じた長さによる記録マーク及びスペースが情報記録面のトラック中心線上に形成されることにより主のデータ列が予め記録された光ディスクに対して、所定長さ以上の記録マーク若しくはスペース、又は所定長さ以上の記録マーク及びスペース上のトラック中心線からディスク内外周方向に所定距離だけずれた目標照射位置に光ビームを照射することにより、情報記録面の反射率を局所的に変化させて、副のデータ列を光ディスクに記録する記録ステップを設けるようにした。
【００１１】
これにより、複製が困難な状態で光ディスクに副のデータ列を記録することができる。
【００１２】
さらに本発明の光ディスクにおいては、主のデータ列に応じた長さによる記録マーク及びスペースが情報記録面のトラック中心線上に形成されることにより主のデータ列が記録されると共に、所定長さ以上の記録マーク若しくはスペース、又は所定長さ以上の記録マーク及びスペース上のトラック中心線からディスク内外周方向に所定距離だけずれた目標照射位置に情報記録面の反射率を局所的に変化させることにより、副のデータ列が記録されてなるようにした。
【００１３】
これにより、複製が困難な状態で光ディスクに副のデータ列を記録することができる。
【００１４】
さらに本発明の光ディスク再生装置においては、光ビームを出射する光源と、主のデータ列に応じた長さによる記録マーク及びスペースが情報記録面のトラック中心線上に形成されることにより主のデータ列が記録されると共に、所定長さ以上の記録マーク若しくはスペース、又は所定長さ以上の記録マーク及びスペース上のトラック中心線からディスク内外周方向に所定距離だけずれた目標照射位置に情報記録面の反射率を局所的に変化させることにより副のデータ列が記録されてなる光ディスクに対し、光ビームを集光して照射する対物レンズと、光ディスクによって光ビームが反射されてなる反射光ビームをディスク内外周方向に２分割された検出領域によって受光する受光部と、反射光ビームの和光量に基づいて主のデータ列を再生する主再生部と、反射光ビームの２分割された検出領域間の光量差の変化に基づいて副のデータ列を再生する副再生部と、副のデータ列が正しく再生できない場合には、主のデータ列の再生を停止する再生停止部とを設けるようにした。
【００１５】
これにより、複製が困難な副のデータ列が記録されていない光ディスクを不正な光ディスクと判別し、当該不正な光ディスクから主のデータを再生させないようにできる。
【発明の効果】
【００１６】
本発明によれば、複製が困難な状態で光ディスクに副のデータ列を記録することができ、かくして違法にデータが複製された光ディスクを作製困難にできる光ディスク記録装置、記録方法及び光ディスクを実現できる。
【００１７】
また本発明によれば、複製が困難な副のデータ列が記録されていない光ディスクを不正な光ディスクと判別し、当該不正な光ディスクから主のデータを再生させないようにでき、かくして違法にデータが複製された光ディスクを作製困難にできる光ディスク再生装置を実現できる。
【発明を実施するための最良の形態】
【００１８】
以下、図面について、本発明の一実施の形態を詳述する。
【００１９】
（１）第１の実施の形態
（１−１）コピー防止システムの構成
図１（Ａ）に示すように、コピー防止システム１では、光ディスク１００に映像データや音楽データなどの主のデータを例えばピット列として記録しておくと共に、副のデータとして当該光ディスク１００が正規の光ディスク１００であることを示すディスク識別符号ＥＤを所定の方式で変調し、変調識別符号ＥＤｒとして記録しておく。この変調識別符号ＥＤｒは、外観上記録されていることが視認できない一方、光ディスク再生装置３１によって読み取ることが可能な符号マークＭＫとしてピット列とは別に記録される。
【００２０】
光ディスク１００を再生する光ディスク装置３０は、光ディスク１００から読み出された変調識別符号ＥＤｒからディスク識別符号ＥＤを再生できた場合には、当該光ディスク１００が正規に作製されたものと判断し、当該光ディスク１００に記録された主のデータを再生する。
【００２１】
一方光ディスク装置３０は、図１（Ｂ）に示すように光ディスクに変調識別符号ＥＤｒが記録されておらず、ディスク識別符号ＥＤを再生できない場合には、当該光ディスクが例えば違法に複製されたいわゆる海賊盤など正規の光ディスクでない不正光ディスク１００Ｘであると判断し、当該不正光ディスク１００Ｘから主のデータを再生しないようになされている。
【００２２】
このため第三者は、仮に光ディスク１００からスタンパを形成することによりピット列のみを複製した不正光ディスク１００Ｘを作製したとしても再生することができず、再生を可能にするためにさらに当該不正光ディスク１００Ｘに変調識別符号ＥＤｒを記録する必要がある。
【００２３】
また光ディスク１００では、符号マークを視認できないように形成しているため、第三者に対し、当該光ディスク１００から変調識別符号ＥＤｒを盗み取らせないようになされている。
【００２４】
さらに光ディスク１００では、ディスク識別符号ＥＤを所定の方式で変調し、変調識別符号ＥＤｒとして記録している。このため仮に第三者が不正光ディスク１００Ｘに変調識別符号ＥＤｒを記録しようとした場合、光ディスク１００と同一の方式でディスク識別符号ＥＤを変調させる必要が生じることになる。この結果、光ディスク１００は、第三者による変調識別符号ＥＤｒの記録を一段と困難にさせ得るようになされている。
【００２５】
すなわちコピー防止システム１では、再生可能な状態の不正光ディスク１００Ｘを作製するための工程を極めて困難にすることができ、第三者による不正光ディスク１００Ｘの販売を実質上防止することができる。
【００２６】
このようにコピー防止システム１では、光ディスク１００に視認困難な符号マークＭＫとして所定の方式で変調された変調識別符号ＥＤｒを記録し、変調識別符号ＥＤｒの記録を条件に光ディスク装置３０に光ディスク１００の再生を許可させるようにしている。この結果コピー防止システム１では、スタンパを用いて不正光ディスク１００Ｘが大量に生産されるのを実質上防止し得るようになされている。
【００２７】
（１−２）光ディスクの作製
本実施の形態では、光ディスクとしてＣＤ（Compact Disc）でなる光ディスク１００Ｃを例にとり説明する。
【００２８】
図２に示すように、光ディスク１００Ｃは、凸状のピット５が形成されたカバー基板２上に反射記録層３及び基板４が設けられており、当該基板４側から光ビームが照射されることが想定されている。
【００２９】
反射記録層３は、所定の反射率で光ビームを反射するようになされており、情報記録面３Ａに所定の照射強度でなる光ビームが照射されると、その反射率を低下させ、符号マークＭＫを形成するようになされている。
【００３０】
反射記録層３は、この符号マークＭＫを目視で確認することが困難なように形成する。これにより反射記録層３は、第三者に対し符号マークＭＫを模倣させ得ないようになされている。
【００３１】
すなわち情報記録面３Ａでは、ピット５による凸形状と、符号マークＭＫによる反射率の変化の２種類の手法によって情報が記録されるようになされている。
【００３２】
図３に示すように、ピット５は、ほぼ直線状に配置されている。符号マークＭＫは、ピット５の中心を結ぶ線（以下、これをトラック中心線と呼ぶ）ＣＴＲに対して光ディスク１００の半径方向（以下、これをディスク内外周方向と呼ぶ）にずれて、ウォッブル（遥動）するように形成されている。
【００３３】
これにより光ディスク１００は、トラック中心からずれた位置に光ビームを照射する仕上装置６（詳しくは後述する）によってのみ符号マークＭＫを形成させることができ、ＣＤ−ＲやＣＤ−ＲＷに情報を記録する一般的な光ディスク装置を用いて符号マークＭＫを形成させ得ないようになされている。
【００３４】
図４に示すように、光ディスク１００Ｃでは、通常のＣＤと同様に、１秒当たりに７５個のＣＤフレームが割り当てられ（図４（Ａ））、各ＣＤフレームにそれぞれ９８個のＥＦＭフレームが割り当てられる（図４（Ｂ））。さらに各ＥＦＭフレームは、５８８のチャンネルクロックに分割され、そのうちの先頭の２２チャンネルクロックにフレームシンクが割り当てられる。
【００３５】
ピット５及びトラック中心線ＣＴＲ上においてピット５間に存在するスペースＳｐは、この１チャンネルクロックの１周期を基本長さＴとして、この基本長さの整数倍の長さにより繰り返される。フレームシンクでは、長さ１１Ｔのピット５及びスペースＳｐの組み合わせにより作成されるようになされている。
【００３６】
ここで一般的に、長さ３Ｔとなる短いピットから反射された戻り光ビームに基づいて生成される再生信号の信号レベルは小さく、長さ４Ｔ以上となる長いピットに基づいて生成される再生信号の信号レベルは大きくなることが知られている。
【００３７】
光ディスク１００Ｃでは、フレームシンクを表す長さ１１Ｔとなるピット５におけるエッジＥｇの中間部分、及び長さ１１Ｔとなるピット５間のスペースＳｐにおけるエッジＥｇの中間部分にのみ符号マークＭＫが形成されるため、符号マークＭＫを挟むピット５及びスペースＳｐを４Ｔ以上の長さにすることができる。このため光ディスク１００Ｃは、再生信号の信号レベルが大きい部分に信号レベルを低下させる符号マークＭＫを記録することができるため、再生信号に極力影響を与えないようになされている。
【００３８】
このようにして光ディスク１００Ｃでは、主データを表すピット５以外に、副データである変調識別符号ＥＤｒを表す符号マークＭＫが形成されるようになされている。
【００３９】
（１−３）光ディスクの作製
この光ディスク１００Ｃの基板４は、通常のＣＤと同様にスタンパを用いたポリカーボネイト等の射出成形により作成される。
【００４０】
この射出成形において基板４（図２）には、微細なピット５が凹形状として情報記録面３Ａ側に形成される。さらに光ディスク１００Ｃは、例えば蒸着により、この基板４の情報記録面３Ａ側に、光ビームＬを反射する反射記録層３が形成され、続いて反射記録層３を保護するカバー基板２が形成される。
【００４１】
これにより光ディスク１００Ｃは、通常のＣＤと同様に、突起物でなるピット５及びスペースＳｐの繰り返しによりオーディオ信号等でなる主のデータを記録できるようになされている。また図４（Ｄ）に示すように、基板４を透過した光ビームＬを反射記録層３によって反射することにより、当該反射された光ビームＬでなる反射光ビームに基づいて主のデータを再生させ得るようになされている。
【００４２】
さらに光ディスク１００Ｃは、符号マーク記録装置６によって反射記録層３の反射率を変化させることにより変調識別符号ＥＤｒを表す符号マークＭＫが形成される。
【００４３】
図５に示すように、符号マーク記録装置６は、コンピュータ構成でなるシステムコントローラ７によって統括制御されている。システムコントローラ７は、図示しない操作部を介したユーザの操作に応じて、装填された光ディスク１００Ｃに対して符合マークＭＫを記録する記録処理を実行するようになされている。
【００４４】
符号マーク記録装置６は、この記録処理において、比較的小さい出射光強度でなる光ビームＬを反射記録層３に照射して主のデータを読み出してフレームシンクを検出する。さらに符号マーク記録装置６は、フレームシンクを検出すると、光ビームＬの出射光強度を瞬間的に大きく立ち上げることにより、フレームシンクを表す長さ１１Ｔのピット５及びスペースＳｐに符号マークＭＫを形成するようになされている。
【００４５】
システムコントローラ７は、記録処理の際、データ書込命令を駆動制御部８へ送出する。駆動制御部８は、システムコントローラ７からのデータ書込命令に応じて、スピンドルモータ９を制御することにより光ディスク１００Ｃを所定の回転速度で回転させると共に、データ書込命令及びアドレス情報を基にスレッドモータ１０を制御することにより、ガイド軸１１に沿って光ピックアップ１４を当該光ディスク１００Ｃの径方向に移動させる。
【００４６】
そしてシステムコントローラ７は、光ディスク１００Ｃの反射記録層３におけるアドレス情報に応じたトラックに対し、光ピックアップ１４のレーザドライバ１５を介してレーザダイオード１６から光ビームＬを発射させ、対物レンズ１８によって光ビームＬを集光して光ディスク１００Ｃに照射する。
【００４７】
このとき光ピックアップ１４では、光ディスク１００Ｃに照射した光ビームＬが反射されてなる反射光ビームをフォトディテクタ１７で受光し、その光量に応じた受光信号を信号処理部１２へ送出する。
【００４８】
信号処理部１２は、受光信号を基に、所望のトラックに対する光ビームＬの照射位置のずれ量に応じたトラッキングエラー信号ＴＥと光ディスク１００Ｃの反射記録層３に対する光ビームＬの焦点のずれ量に応じたフォーカスエラー信号とを生成してこれらを駆動制御部８へ送出すると共に、当該受光信号を基に再生ＲＦ信号を生成し、記録制御部１３へ送出する。
【００４９】
駆動制御部８は、トラッキングエラー信号ＴＥ及びフォーカスエラー信号に基づいてトラッキング駆動電流、フォーカス駆動電流を生成し、これらをレンズ駆動部１８Ａへ送出する。これに応じてレンズ駆動部１８Ａは、対物レンズ１８を光ディスク１００Ｃの径方向であるトラッキング方向及び当該光ディスクに近接する又は離隔するフォーカス方向へ駆動させることにより、光ビームＬの焦点を光ディスク１００Ｃの所望のトラックに合致させる。
【００５０】
光ピックアップ１４は、レーザドライバ１５の制御により、再生に適した強度に調整された光ビームＬを照射しながら、瞬間的に記録に適した強度に調整された光ビームＬを照射することにより、符号マークＭＫを当該光ディスク１００Ｃに記録していく。
【００５１】
このように符号マーク記録装置６は、光ピックアップ１４から光ディスク１００Ｃの反射記録層３における所望のトラックに対して焦点を合わせた光ビームを、反射記録層３に対応する出射光強度で照射することにより、変調識別符号ＥＤｒを表す符号マークＭＫの記録を行うようになされている。
【００５２】
このとき符号マーク記録装置６では、長さ１１Ｔでなるピット５及びスペースＳｐからなるフレームシンクを検出すると共に、光ビームＬをトラック中心線ＣＴＲからディスク内外周方向にずらして照射することにより、トラック中心線ＣＴＲからディスク内外周方向に遥動させるよう符号マークＭＫを形成するようになされている。
【００５３】
ここで光ピックアップ１４では、光ビームＬがトラック中心線ＣＴＲに照射されたとき、反射光ビームがフォトディテクタ１７の中心に照射されるように各光学部品が配置されている。すなわち図６（Ａ）に示すように、光ビームＬのスポットＰがトラック中心線ＣＴＲにあるとき反射光ビームの反射光スポットＱはフォトディテクタ１７の中心に存在する。
【００５４】
このとき分割線Ｃｐを跨いだ検出領域１７Ａ及び１７Ｂにおいて受光される反射光スポットＱの光量は互いに等しいため、当該検出領域１７Ａ及び１７Ｂの光量差に基づいて算出されるトラッキングエラー信号ＴＥはゼロとなる。
【００５５】
また図６（Ｂ）及び（Ｃ）に示すように、スポットＰがトラック中心線ＣＴＲからディスク内外周方向へずれると、フォトディテクタ１７上の反射光ビームＱも同様に分割線Ｃｐの中心から当該ディスク内外周方向に応じたトラッキング方向にずれることになる。このとき検出領域１７Ａ及び１７Ｂに受光される反射光スポットＱの光量は互いに異なっている。このためトラッキングエラー信号ＴＥはゼロとならず、スポットＰがトラック中心線ＣＴＲからのずれ量に応じた値を示すことになる。
【００５６】
本発明の符号マーク記録装置６では、記録制御部１３によってトラック中心線ＣＴＲから目標照射位置までのずれ量を表す目標位置制御信号ＨＸを生成し駆動制御部８に供給する。そして符号マーク記録装置６は、駆動制御部８の制御によりトラッキングエラー信号ＴＥが目標位置制御信号ＨＸに応じた値になるよう対物レンズ１８をディスク内外周方向に移動させることにより、トラック中心線ＣＴＲから所定の距離だけずれた目標照射位置に光ビームＬを照射し、符号マークＭＫを形成するようになされている。
【００５７】
図７（Ａ）に示すように、駆動制御部８は、目標位置制御信号ＨＸが示す電圧値が基準値である「０」の場合、トラッキングエラー信号ＴＥが「０」になるように対物レンズ１８を移動させる。この結果駆動制御部８は、光ビームＬをトラック中心線ＣＴＲに照射することができる。
【００５８】
また図７（Ｂ）に示すように、駆動制御部８は、目標位置制御信号ＨＸが正の場合、トラッキングエラー信号ＴＥが目標位置制御信号ＨＸに応じた値になるよう対物レンズ１８をディスク内外周方向における例えば外周側に移動させる。この結果駆動制御部８は、トラック中心から目標位置制御信号ＨＸに応じたずれ量だけずらした目標照射位置に光ビームを照射することができる。
【００５９】
図７（Ｃ）に示すように、駆動制御部８は、目標位置制御信号ＨＸが負の場合も同様に、トラッキングエラー信号ＴＥが目標位置制御信号ＨＸに応じた値になるよう対物レンズ１８をディスク内外周方向における例えば内周側に移動させる。この結果駆動制御部８は、トラック中心線ＣＴＲから目標位置制御信号ＨＸに応じたずれ量だけずらした目標照射位置に光ビームＬを照射することができる。
【００６０】
このように符号マーク記録装置６は、目標位置制御信号ＨＸに基づいて対物レンズ１８を移動させることにより、図８に示すようにトラック中心線ＣＴＲを軸として遥動するスポット移動線ＳＬ上に光ビームＬを照射することができる。
【００６１】
また符号マーク記録装置６では、記録制御部１３によって出力信号ＭＸを生成し、これを光ピックアップ１４のレーザドライバ１５に供給する。そして符号マーク記録装置６では、レーザドライバ１５の制御によって、出力信号ＭＸに応じてレーザダイオード１６から出射する光ビームの出射光強度を大きく立ち上げることにより、スポット移動軸線ＳＬ上の任意の位置に符号マークＭＫを形成するようになされている。
【００６２】
すなわち符号マーク記録装置６では、符号マークＭＫを形成しないときは、情報を読み出すためにトラック中心線ＣＴＲに比較的小さい出射光強度でなる光ビームＬを照射する。また符号マーク記録装置６は、符号マークＭＫを形成する際にはトラック中心線ＣＴＲから光ビームＬをずらすと共に、瞬間的に光ビームＬの出射光強度を大きく立ち上げて反射記録層３の反射率を変化させ、符号マークＭＫを形成するようになされている。
【００６３】
次に、上述した目標位置制御信号ＨＸ及び出力信号ＭＸを生成する記録制御部１３の構成について説明する。
【００６４】
図９に示すように、増幅回路１９は、信号処理部１２から供給される再生信号ＲＦを所定利得で増幅して２値化回路２０に出力する。２値化回路２０は、増幅回路１９から出力される再生信号ＲＦを所定の基準レベルにより２値化し、２値化信号ＢＤをＰＬＬ回路２１に出力する。ＰＬＬ回路２１は、この２値化信号ＢＤからチャンネルクロックＣＫを再生する。
【００６５】
同期パターン検出回路２２は、２値化信号ＢＤに繰り返し現れるシンクパターンを検出する。すなわち図４（Ａ）〜（Ｃ）と対応する図１０（Ａ−１）〜（Ａ−４）に示すように、２値化信号ＢＤは、光ディスク１００Ｃに形成されたピット列に対応して信号レベルが切り換わり、各フレームの先頭に割り当てられたフレームシンクにおいて、長さ１１Ｔの期間、信号レベルが立ち上がった後、続いて長さ１１Ｔの期間、信号レベルが立ち下がる。
【００６６】
同期パターン検出回路２２（図９）は、多段接続したフリップフロップ回路によってチャンネルクロックＣＫを基準にして、２値化信号ＢＤの連続する信号レベルを判定することにより、このフレームシンクを検出する。さらに同期パターン検出回路２２は、このフレームシンクの検出結果から、各フレームの先頭、１チャンネルクロックの期間Ｔの間、信号レベルが立ち上がる同期パターン検出パルスＳＹを出力する（図１０（Ｃ））。
【００６７】
同期パターン予測回路２３は、同期パターン検出パルスＳＹを基準にしてチャンネルクロックＣＫをカウントするリングカウンタにより構成され、各フレームの先頭、１チャンネルクロックの期間Ｔの間、信号レベルが立ち上がるフレームパルスＦＰを出力する（図１０（Ｃ））。これにより同期パターン予測回路２３は、ディフェクト等により、同期パターン検出回路２２においてフレームシンクを正しく検出できない場合でも、各フレームシンクを予測してフレームパルスＦＰを出力する。
【００６８】
ディスク識別符号発生回路２４は、サブコード情報検出回路２４Ａ及びリードオンリメモリ（ＲＯＭ）２４Ｂにより構成される。ここでサブコード情報検出回路２０Ａは、２値化信号ＢＤを復号することにより、２値化信号ＢＤ中に含まれるサブコード情報を再生する。さらにディスク識別符号発生回路２４は、このサブコード情報に含まれる分、秒、フレームによる時間情報から、分（ＡＭＩＮ）、秒（ＡＳＥＣ）の時間情報を選択的に出力する。
【００６９】
なおここで分（ＡＭＩＮ）、秒（ＡＳＥＣ）の時間情報は、光ディスク１００Ｃの規格に定められたサブコード情報であり、光ディスク１００Ｃ上のデータの位置を示すものである。すなわち分（ＡＭＩＮ）の時間情報は、光ディスク１００Ｃ上に記録されたデータを分単位で表したものであり、例えば０から７４までの値を取ることができる。また秒（ＡＳＥＣ）の時間情報は、分（ＡＭＩＮ）で定められる分単位の位置を、さらに秒単位で細かく規定したものであり、０から５９までの値を取る。
【００７０】
リードオンリメモリ２４Ｂは、ディスク識別符号ＥＤを保持し、サブコード情報検出回路２４Ａより出力される分（ＡＭＩＮ）、秒（ＡＳＥＣ）の時間情報をアドレスにして保持したデータを出力する。ここでディスク識別符号ＥＤは、ディスク毎に固有なものとして設定されるＩＤ情報、製造工場に係る情報、製造年月日、コピー可／不可を制御する情報等により構成され、ディスク識別符号の始まりを表す同期信号、誤り訂正符号などが含まれる。
【００７１】
リードオンリメモリ２４Ｂは、ディスク識別符号ＥＤをビットデータにより保持し、分（ＡＭＩＮ）、秒（ＡＳＥＣ）の時間情報による１のアドレスに対して、１ビットのディスク識別符号ＥＤを出力する。これによりリードオンリメモリ２４Ｂは、１秒当たり１ビットのディスク識別符号ＥＤを出力する。
【００７２】
変調回路２５は、ディスク内外周方向への移動方向とその量を目標位置制御信号ＨＸとして駆動制御部８に供給する。また変調回路２５は、ディスク識別符号ＥＤを変調して変調識別符号ＥＤｒを生成すると共に、当該変調識別符号ＥＤｒに応じたタイミングで立ち上がる出力信号ＭＸをレーザドライバ１５に供給する。これにより立上げ装置６では、光ビームＬの光量を瞬間的に大きくし、反射記録層３の反射率を局所的に変化させて符号マークＭＫを形成することができる。
【００７３】
すなわち図１１に示すように、変調回路２５において、擬似乱数系列発生器であるＭ系列発生回路２６は、縦続接続された複数のフリップフロップ２５Ａ〜２５Ｐとイクスクルーシブオア（ＸＯＲ）回路２７とにより構成され、秒（ＡＳＥＣ）の時間情報の変化に対応するタイミングによりこれら複数のフリップフロップ２５Ａ〜２５Ｐに初期値をセットする。
【００７４】
さらにＭ系列発生回路２６は、セットした内容をフレームパルスＦＰに同期して順次転送すると共に、所定の段間で帰還することにより論理１と論理０が等確率で現れるＭ系列のＭ系列乱数データＭＳを生成する。これによりＭ系列乱数データＭＳは、ディスク識別符号ＥＤの１ビットに対応する周期で同一パターンを繰り返す疑似乱数の系列となる。
【００７５】
イクスクルーシブオア回路２７は、Ｍ系列乱数データＭＳとディスク識別符号ＥＤを受け、排他的論理和信号ＷＰをズレ量ＲＯＭ２９に出力する。すなわちイクスクルーシブオア回路２７は、ディスク識別符号ＥＤが論理０の場合、Ｍ系列乱数データＭＳの論理レベルにより排他的論理和信号ＷＰを出力し、これとは逆にディスク識別符号ＥＤが論理１の場合、Ｍ系列乱数データＭＳの論理レベルを反転してなる排他的論理和信号ＷＰを出力する。このようにイクスクルーシブオア回路２７は、ディスク識別符号ＥＤをＭ系列乱数により変調する。
【００７６】
フリップフロップ２５Ａ〜２５Ｐは、縦続接続され、初段のフリップフロップ２５ＡにフレームパルスＦＰが入力される。これらフリップフロップ２５Ａ〜２５Ｐは、このフレームパルスＦＰを順次チャンネルクロックＣＫに同期して転送する。
【００７７】
オア回路２８は、これらフリップフロップ２５Ａ〜２５Ｐのうち、５段目のフリップフロップ２２Ｅと、１６段目でなる最終段のフリップフロップ２５Ｐとから出力を受け、これらの論理和信号を出力する。これによりオア回路２８は、フレームシンクの開始後、チャンネルクロックＣＫの５周期分の期間が経過したときに、１チャンネルクロック周期Ｔだけ信号レベルが立ち上がり、またフレームシンクの開始後、チャンネルクロックＣＫの１６周期分の期間が経過したときに、１チャンネルクロック周期Ｔだけ信号レベルが立ち上がる出力信号ＭＸを生成し、これをレーザドライバ１５に供給する。
【００７８】
かくするにつき、この出力信号ＭＸの信号レベルが立ち上がる期間は、シンクパターンを形成する長さ１１Ｔのピット５と、長さ１１ＴのスペースＳｐとにおける各中央の１チャンネルクロック周期Ｔであり、それぞれピット５及びスペースＳｐの両エッジＥｇより充分な距離だけ離間した位置に対応する。
【００７９】
ズレ量ＲＯＭ２９は、イクスクルーシブオア回路２７より出力される排他的論理和信号ＷＰとオア回路２８の出力信号ＭＸとを用いて、図１２に示す出力テーブルＴＢに従ってズレ量を算出し、これを目標位置制御信号ＨＸとしてディジタルアナログ(Ｄ/Ａ)変換回路３０に供給する。
【００８０】
なお、αはディスク内外周方向に移動させる距離を生成する制御電圧であり、正負はディスクの内周方向および外周方向を示す。また「０」はトラック中心線ＣＴＲ上に光ピックアップ１４を位置させることを表している。そしては、ディジタルアナログ変換回路３０は、目標位置制御信号ＨＸをアナログ信号に変換し、駆動制御部８に供給する。駆動制御部８は、レンズ駆動部１８を制御することにより対物レンズ１８を移動させ、スポットＰをディスク内外周方向に移動させる。
【００８１】
レーザドライバ１５（図５）は、この出力信号ＭＸの立ち上がりに応じて、光ビームＬの光量を再生時の光量から記録時の光量に切り換える。ここで記録時の光量とは、光ディスク１００Ｃの反射記録面の反射率を変化させるに充分な光量である。
【００８２】
これにより符号マーク記録装置６は、シンクパターンを形成する長さ１１Ｔのピット５におけるエッジＥｇ間の中央と、長さ１１Ｔのランド（スペースＳｐ）におけるエッジＥｇ間の中央とで、Ｍ系列乱数データＭＳにより変調された変調識別符号ＥＤｒに応じてディスク内外周方向へ対物レンズ１８を移動すると共に、光ビームＬの光量を立ち上げ、変調識別符号ＥＤｒを追加記録する。
【００８３】
従って光ディスク１００Ｃにおいては、変調識別符号ＥＤｒを追加記録していない場合（図１０（Ｅ−１））は、ピット５及びスペースＳｐで、ほぼ基準値「０」でなる信号波形によるトラッキングエラー信号ＴＥが得られる（図１０（Ｆ−１））。これに対して光ディスク１００Ｃにおいて変調識別符号ＥＤｒを追加記録した場合（図１０（Ｅ−２））には、ピット５及びスペースＳｐの中央近傍で、反射記録層３の特性に応じて信号レベルが局所的に変動してなるトラッキングエラー信号ＴＥが得られることになる（図１０（Ｆ−２））。
【００８４】
因みに符号マーク記録装置６は、ピット５及び当該ピット５が記録されている隣接トラック間の距離をｐ、上記所定距離をＤとしたとき、次式を満たすように目標制御位置信号ＨＸが表すαを決定する。
【００８５】
【数２】
2009187634.tif 000003
【００８６】
これにより符号マーク記録装置６は、光ディスク１００Ｃを再生する際に符号マークＭＫによって生じる再生信号ＲＦの信号レベルの変化を小さく抑制することができるため、主データの再生に極力影響を与えないようになされている。
【００８７】
（１−４）光ディスクの再生
図１３は、この光ディスク１００Ｃを再生する光ディスク再生装置３１を示すブロック図である。この光ディスク再生装置３１において、スピンドルモータ３２は、サーボ回路３３の制御により、線速度一定の条件により光ディスク１００Ｃを回転駆動する。
【００８８】
光ピックアップ３４は、光ディスク１００Ｃに光ビームＬを照射すると共にその戻り光である反射光ビームを受光し、当該反射光ビームの光量に応じて信号レベルが変化する再生信号ＲＦを出力する。ここで光ディスク１００Ｃに変調識別符号ＥＤｒが符号マークＭＫとして記録され、局所的に反射率が変化する。このためトラッキングエラー信号ＴＥの信号レベルは、符号マークＭＫによる反射率の変化に応じて変化することになる。
【００８９】
なお反射率変化に対応するトラッキングエラー信号ＴＥの信号レベルの変化は、微小であるため、光ピックアップ１４がピット上を走査する動作には影響を与えず、反射率が変化していない場合と同様の動作をさせることができる。
【００９０】
２値化回路３５は、再生信号ＲＦを所定の基準レベルにより２値化し、２値化信号ＢＤを作成する。ＰＬＬ回路３６は、この２値化信号ＢＤを基準にして動作することにより、再生信号ＲＦのチャンネルクロックＣＣＫを再生する。
【００９１】
ＥＦＭ復調回路３７は、チャンネルクロックＣＣＫを基準にして２値化信号ＢＤを順次ラッチすることにより、ＥＦＭ変調信号Ｓ２に対応する再生データを再生する。さらにＥＦＭ復調回路３７は、この再生データをＥＦＭ復調した後、フレームシンクを基準にしてこの復調データを８ビット単位で区切り、生成した８ビット単位の信号をデインターリーブしてＥＣＣ（Error Correcting Code ）回路３８に出力する。
【００９２】
ＥＣＣ回路３８は、このＥＦＭ復調回路３７の出力データに付加された誤り訂正符号に基づいて、この出力データを誤り訂正処理し、これにより主データ信号ＭＤを生成してディジタルアナログ変換回路（Ｄ／Ａ）３９に出力する。
【００９３】
ディジタルアナログ変換回路３９は、このＥＣＣ回路３８より出力される主データ信号ＭＤをディジタルアナログ変換処理し、アナログ信号でなる主データアナログ信号Ｓ４を外部機器（図示しない）に出力する。
【００９４】
またディスク識別符号再生回路４１は、光ピックアップ３４から供給されるトラッキングエラー信号ＴＥより変調識別符号ＥＤｒを復調し、ディスク識別符号ＥＤとしてシステム制御回路４０に供給する。
【００９５】
システム制御回路４０は、この光ディスク再生装置３１の動作を制御するコンピュータにより構成される。システム制御回路４０は、例えば再生処理を開始する際、光ディスク１００Ｃの所定領域をアクセスするように全体の動作を制御する。
【００９６】
そしてシステム制御回路４０は、ディスク識別符号再生回路４１よりディスク識別符号ＥＤが供給されると、当該ディスク識別符号ＥＤに基づいて光ディスク１００Ｃに正しい変調識別符号ＥＤが記録されていたか否かを判別する。
【００９７】
システム制御回路４０は、光ディスク１００Ｃに正しい変調識別符号ＥＤが記録され、正当に作製されたものであると判別した場合には、再生処理を継続する。一方システム制御回路４０は、光ディスク１００Ｃに正しい変調識別符号ＥＤが記録されておらず、当該光ディスク１００Ｃが第三者によって不正に複製されたものであると判別した場合には、ディジタルアナログ変換回路３９からの主データアナログ信号Ｓ４の出力を停止制御する。
【００９８】
すなわち光ディスク再生装置３１は、装填された光ディスク１００Ｃが違法にコピーされた不正光ディスク１００Ｘであると判断した場合には、当該光ディスク１００Ｃを再生しないようになされている。
【００９９】
図１４は、変調識別符号ＥＤｒを復号化してシステム制御回路４０に供給するディスク識別符号再生回路４１を詳細に示すブロック図である。
【０１００】
このディスク識別符号再生回路４１において、同期パターン検出回路４３は、チャンネルクロックＣＣＫを基準にして２値化信号ＢＤを順次ラッチし、その連続する論理レベルを判定することによりシンクパターンを検出する。さらに同期パターン検出回路４３は、この検出したシンクパターンを基準にして、各フレームが開始する１チャンネルクロックの期間Ｔの間、信号レベルが立ち上がるフレームパルスＦＰを生成し、これをＭ系列生成回路４５及びビット中央検出回路５０に供給する。
【０１０１】
Ｍ系列生成回路４５は、システム制御回路４０の制御により所定のタイミングでアドレスを初期化する。さらにＭ系列生成回路４５は、フレームパルスＦＰによりアドレスを順次歩進して内蔵のリードオンリメモリにアクセスし、符号マーク記録装置６で生成したＭ系列乱数データＭＳに対応するＭ系列乱数データＭＺを生成すると、これをセレクタ４９に供給する。
【０１０２】
アナログディジタル変換回路（Ａ／Ｄ）４７は、チャンネルクロックＣＣＫを基準にしてトラッキングエラー信号ＴＥをアナログディジタル変換処理し、８ビットのディジタルＴＥ信号を生成し、セレクタ４９及び極性反転回路（−１）４８に供給する。極性反転回路（−１）４８は、このディジタル再生信号の極性を反転してセレクタ４９に供給する。
【０１０３】
セレクタ４９は、Ｍ系列生成回路４５から出力されるＭ系列乱数データＭＺの論理レベルに応じて、アナログディジタル変換回路４７から直接入力されるディジタルＴＥ信号、極性反転回路４８から極性を反転して入力されるディジタルＴＥ信号を選択し、加算器５２に供給する。
【０１０４】
すなわちセレクタ４９は、Ｍ系列乱数データＭＺが論理１の場合、直接入力されるディジタルＴＥ信号を選択して出力し、これとは逆にＭ系列乱数データが論理０の場合、極性反転されたディジタルＴＥ信号を選択する。これによりこのセレクタ４９は、Ｍ系列乱数データＭＳにより変調したディスク識別符号ＥＤの論理レベルを多値のデータとして再生することになり、この多値のデータを再生データＲＸとして出力する。
【０１０５】
ピット中央検出回路５０は、符号マーク記録装置６における変調回路２５と同様に、縦続接続された１６段のフリップフロップ（図示せず）と、これらフリップフロップの所定出力を受けるオア回路とにより構成される。ピット中央検出回路５０は、これらフリップフロップによりフレームパルスＦＰを順次転送することにより、長さ１１Ｔのピットの中央、長さ１１Ｔのランドの中央で、１チャンネルクロック周期Ｔだけ信号レベルが立ち上がる中央部検出信号ＣＴをアキュムレータ５３に供給する。
【０１０６】
サブコード情報検出回路５１は、チャンネルクロックＣＣＫを基準にして２値化信号ＢＤを監視し、この２値化信号ＢＤからサブコード情報を復号する。さらにサブコード情報検出回路５１は、この復号したサブコード情報のうちの時間情報を監視し、この時間情報が１秒変化する毎に信号レベルが立ち上がる１秒検出パルスＳＥＣＰを生成し、２値化回路５４及びＥＣＣ回路５５にそれぞれ供給する。
【０１０７】
加算器５２は、１６ビットのディジタル加算器であり、再生データＲＸとアキュムレータ（ＡＣＵ）５３の出力データＡＸとを加算してアキュムレータ５３に供給する。このアキュムレータ５３は、加算器５２の出力データを保持する１６ビットのメモリで構成され、保持したデータを加算器５２に帰還することにより、加算器５２と共に累積加算器を構成する。
【０１０８】
すなわちアキュムレータ５３は、１秒検出パルスＳＥＣＰにより保持した内容をクリアした後、中央部検出信号ＣＴのタイミングにより加算器５２の出力データを記録する。これにより加算器５２は、サブコード情報による時間情報の各秒毎（７３５０フレーム間）に、セレクタ４９により再生された再生データＲＸの論理値を累積し、累積値ＡＸを２値化回路５４に供給する。
【０１０９】
２値化回路５４は、１秒検出パルスＳＥＣＰが立ち上がるタイミングで、所定の基準値によりアキュムレータ５３の出力データＡＸを２値化してＥＣＣ回路５５に供給する。これによりセレクタ４９により再生されたディスク識別符号ＥＤの再生データＲＸが、２値のディスク識別符号ＥＤに変換される。
【０１１０】
ＥＣＣ回路５５は、このディスク識別符号ＥＤに付加された誤り訂正符号によりディスク識別符号ＥＤを誤り訂正処理し、ディスク識別符号ＥＤとしてシステム制御部４０に供給する。
【０１１１】
そしてシステム制御部４０は、ディスク識別符号ＥＤから光ディスク１００Ｃが正当に作製されたものであるか否かを判断し、正当に作製されたものであると判断した場合のみ再生処理を継続するようになされている。
【０１１２】
このように光ディスク再生装置３１では、再生処理を開始する際、光ディスク１００Ｃの所定の領域に符号マークＭＫとして記録された変調識別符号ＥＤｒを読み出すと共に、当該変調識別符号ＥＤｒからディスク識別符号ＥＤを生成し、光ディスク１００Ｃの正当性を判断し得るようになされている。
【０１１３】
（１−５）まとめ
この実施の形態に係る光ディスク１００Ｃの製造工程では、通常のマスタリング装置によりマザーディスクが作成され、このマザーディスクより作成されたスタンパにより基板４が作成される。さらにこの基板４に反射記録層３、カバー基板２が形成されて光ディスク１００Ｃが作成される（図２）。これにより光ディスク１００Ｃは、所定の基本周期Ｔに対応する基本長さＴの整数倍の長さによる記録マークとしてのピット５及びスペースＳｐが繰り返されて、主のデータとしてのディジタルオーディオ信号等が記録される。
【０１１４】
このとき光ディスク１００Ｃは、反射記録層３にＣＤ−Ｒの情報記録面と同様の膜構造が適用され、これにより所定の光強度以上でなる光ビームＬを照射すると、この光ビームＬの照射位置における反射記録層３の反射率が可逆的に変化し、ピット５及びスペースＳｐの繰り返しにより記録された主のデータに加えて、副のデータを追加記録することができるように構成される。
【０１１５】
このようにして作成された光ディスク１００Ｃは、符号マーク記録装置６（図５）において、システムコントローラ７の制御によって所定領域が再生され、ピット５及びスペースＳｐの繰り返しにより記録された主のデータであるディジタルオーディオ信号などの再生には何ら影響を与えないように、この所定領域にディスク識別符号ＥＤが変調された状態で記録される。
【０１１６】
すなわち符号マーク記録装置６において、光ピックアップ１４より得られる再生信号ＲＦが２値化回路１６により２値化信号ＢＤに変換され、同期パターン検出回路１８においてこの２値化信号からシンクパターンが検出される。これにより光ディスク１００Ｃに形成されたピット５及びスペースＳｐのうち、最長となる長さ１１Ｔのピット５及びスペースＳｐについて、これらピット５及びスペースＳｐの開始のタイミングが検出される。
【０１１７】
さらに続く同期パターン予測回路２３において、シンクパターンの開始のタイミングで信号レベルが立ち上がるフレームパルスＦＰが生成され、これによりディフェクト等により正しく２値化信号ＢＤが再生されない場合でも、正しいタイミングにより長さ１１Ｔのピット５及びスペースＳｐについて、開始のタイミングが検出される。
【０１１８】
さらに変調回路２５において（図９）、フリップフロップ２５Ａ〜２５ＰでこのフレームパルスＦＰが順次転送され、５段目及び１６段目のフリップフロップからの出力がオア回路２８により合成され、これによりこれら長さ１１Ｔのピット５及びスペースＳｐについて、ピット５の中央部分の１チャンネルクロック周期Ｔ、スペースＳｐの中央部分の１チャンネルクロック周期Ｔが検出される。
【０１１９】
これらと連動してサブコード情報検出回路２４Ａにおいて（図１１）、サブコード情報が再生され、このサブコード情報から分（ＡＭＩＮ）及び秒（ＡＳＥＣ）により再生位置を特定する情報が検出され、続くリードオンリメモリ２４Ｂから、これら再生位置を特定する情報に対応してディスク識別符号ＥＤが出力される。このときリードオンリメモリ２４Ｂがビット情報によりディスク識別符号ＥＤを保持し、分（ＡＭＩＮ）及び秒（ＡＳＥＣ）の情報によりアクセスされて保持したディスク識別符号ＥＤを出力することにより、１秒当たり１ビットの極めて低いビットレートによりディスク識別符号ＥＤが出力される。
【０１２０】
またＭ系列発生回路２６において、フレームパルスＦＰに同期して、論理１及び論理０が等確率で発生するＭ系列乱数データＭＳが生成され、イクスクルーシブオア回路２７において、このＭ系列乱数データＭＳによりディスク識別符号ＥＤが変調される。さらにこのイクスクルーシブオア回路２７の出力とオア回路２８の出力信号ＭＸを用いてズレ量ＲＯＭ２９を参照し、Ｄ/Ａ出力により光ピックアップ１４のディスク内外周方向へ移動を行なう。また、オア回路２８の出力は、長さ１１Ｔのピット５及びスペースＳｐの各中央部分で信号レベルが立ち上がる出力信号ＭＸとなる。
【０１２１】
光ディスク１００Ｃは、目標位置制御信号ＨＸと出力信号ＭＸによりディスク内外周方向への移動と光ビームＬの光量を立ち上げ反射記録層３の反射率を局所的に変化させる。これにより長さ１１Ｔのピット５及びスペースＳｐの各中央部分のディスク内外周方向にずれた位置に局所的な微小マークである符号マークＭＫが形成される。
【０１２２】
この符号マークＭＫは、長さ１１Ｔのピット５及びスペースＳｐそれぞれのエッジ間の中心部分付近に、トラック中心線ＣＴＲからずれた状態で形成されている。この結果このピット５及びスペースＳｐに応じて変化する再生信号ＲＦの信号レベルは、符号マークＭＫが形成された場合と、符号マークＭＫが何ら形成されていない場合とで同等に保持される。これによりピット５及びスペースＳｐによる主のデータの再生には何ら影響を与えることなく、副のデータでなる変調識別符号ＥＤｒが記録される。
【０１２３】
すなわちこの種のピット列によるデータを再生する光学系の開口数をＮＡ、光ビームＬの波長をλと置くと、光ディスク１００Ｃの情報記録面には、次式により表される直径Ｄ１のスポットＰが形成される。なおここで直径Ｄ１は、スポットＰにおける半値幅である。
【０１２４】
【数３】
2009187634.tif 000004
【０１２５】
これにより前後のエッジＥｇより距離Ｄ１だけ離間して符号マークＭＫを形成すれば、スポットＰにおいては、符号マークＭＫ及びエッジＥｇを同時に走査しないことになる。これに対してエッジＥｇの位置情報は、再生信号ＲＦの平均レベルを閾値に設定して、再生信号ＲＦの信号レベルがこの閾値を横切るタイミングであり、このタイミングは、スポットＰの中心がエッジＥｇを横切るタイミングに対応する。このタイミングにおいて、光ビームＬがエッジＥｇと同時に符号マークＭＫを照射していない場合には、この閾値を横切るタイミングが符号マークＭＫを何ら形成していない場合と同一に保持される。
【０１２６】
これにより（３）式の直径Ｄ１を１／２にして次式に示すように距離Ｄ１において、前後のエッジＥｇよりこの距離Ｄ１だけ離間してマークを形成すれば、ピット５及びスペースＳｐによる主のデータの再生には何ら影響を与えることなく、副のデータでなる変調識別符号ＥＤｒを再生することができる。
【０１２７】
【数４】
2009187634.tif 000005
【０１２８】
ここで光ディスク１００Ｃを再生する光ディスク再生装置３１における一般的な開口数ＮＡは、値０．４５であり、波長λは、０．７８〔μｍ〕であることから、（４）式を解くと、Ｄ＝１．０６〔μｍ〕となる。光ディスク１００Ｃは、線速度１．２〔ｍ／ｓｅｃ〕で回転し、チャンネルクロックＣＫの周波数が４．３２１８〔ＭＨｚ〕でなることから、エッジＥｇより４チャンネルクロック周期に相当する距離だけ離間して符号マークＭＫを形成すれば、（４）式による距離Ｄ１以上、エッジＥｇから離間して符号マークＭＫを形成したことになる。
【０１２９】
すなわちピット５及びスペースＳｐのエッジＥｇより、約長さ４Ｔ以上に対応する距離だけ離間して符号マークＭＫを形成すれば、同じように反射光ビームの光量変化により検出されるピット５及びスペースＳｐのエッジＥｇについてのエッジ情報と、符号マークＭＫについてのマーク情報とを分離して再生することができる。これによりピット５及びスペースＳｐによる主のデータの再生には何ら影響を与えることなく、副のデータでなる変調識別符号ＥＤｒが記録される。
【０１３０】
またこのとき論理１と論理０が等確率で現れるＭ系列乱数データＭＳによりディスク識別符号ＥＤを変調して記録することにより、反射率の変化によるトラッキングエラー信号ＴＥの変化がトラッキングエラー中に混入するノイズのように観察され、これによりトラッキングエラー信号ＴＥにおける変調識別符号ＥＤｒを観察しても、発見困難にすることができ、変調識別符号ＥＤｒのコピーを困難にすることもできる。
【０１３１】
またこれらに加えて、変調識別符号ＥＤｒの１ビットを１秒の期間に割り当てたことにより、すなわちこの１ビットを全部で７３５０（７３５０＝７５×９８）ＣＤフレームに分散して記録することにより、ノイズ等により再生信号ＲＦが変動しても、確実に変調識別符号ＥＤｒを再生することができる。
【０１３２】
さらにこのようにして変調識別符号ＥＤｒを記録した光ディスク１００Ｃでは、従来の違法コピーの手法によって、ピット列による主のデータを比較的簡易にコピーさせてしまうものの、符号マークＭＫによる副のデータ（変調識別符号ＥＤｒ）をコピーさせ難くなされている。
【０１３３】
すなわちこの光ディスク１００Ｃでは、第三者が違法コピーを作製しようとする場合、光ディスク１００Ｃと同様に変調識別符号ＥＤｒを符号マークＭＫにより記録する必要がある。このため第三者は、主のデータが事前にピット列により記録され、さらに反射記録層３を有している光ディスクを用意する必要がある。また第三者は、この符号マーク記録装置６と同様の構成による装置を用意する必要もある。これらにより光ディスク１００Ｃは、第三者による不正光ディスク１００Ｘの作製を困難にすることができる。
【０１３４】
光ディスク再生装置３１は、このようにして作成された光ディスク１００Ｃに対し、光ビームＬを照射して得られる反射光ビームを２つの検出領域１７Ａ及び１７Ｂを有するフォトディテクタ１７によって受光すると共に、当該反射光ビームの受光量に応じて信号レベルが変化する再生ＲＦ信号を生成し、２値化回路３５によって２値化する。続いて光ディスク再生装置３１は、ＥＦＭ復調回路３７によって２値化信号ＢＤを２値識別した後、ＥＦＭ復調、デインターリーブし、ＥＣＣ回路３８により誤り訂正処理し、これにより主のデータである主データ信号ＭＤを再生する。
【０１３５】
このとき光ディスク１００Ｃにおいて、局所的に反射率が変化してなる符号マークＭＫが長さ１１Ｔのピット５及びスペースＳｐで、かつエッジＥｇ（前のエッジＥｇ及び後ろのエッジＥｇの双方である）から長さ４Ｔに対応する距離以上離間した、ピット５及びスペースＳＰの中央に形成されていることにより、再生ＲＦ信号において、この符号マークＭＫを形成したことによる各エッジＥｇ近傍における信号レベルの変化が防止される。これによりディスク識別符号ＥＤを記録した光ディスク１００Ｃであっても、通常のＣＤプレイヤなどでなる光ディスク再生装置３１を用いてピット５に記録された情報を正しく再生させることが可能となる。
【０１３６】
さらに光ディスク再生装置３１は、このように主データ信号ＭＤを再生する前に、光ディスク１００Ｃにおける所定領域にアクセスし、この領域よりディスク識別符号ＥＤを再生する。このとき光ディスク再生装置３１は、ディスク識別符号ＥＤが正しく復号化できない場合、違法なコピーとしてディジタルアナログ変換回路３９によるディジタルアナログ変換処理を停止制御する。
【０１３７】
すなわち光ディスク再生装置３１は、光ディスク１００Ｃから変調識別符号ＥＤｒを読み出すと共に、同期パターン検出回路４３によってフレームシンクを検出する。そして光ディスク再生装置３１は、このフレームシンクの検出を基準にしてＭ系列生成回路４５において記録時のＭ系列乱数データＭＳに対応するＭ系列乱数データＭＺを生成する。
【０１３８】
また光ディスク再生装置３１は、当該反射光ビームの検出領域１７Ａ及び１７Ｂの光量差に応じて信号レベルが変化するトラッキングエラー信号ＴＥを生成し、トラッキングエラー信号ＴＥをアナログディジタル変換回路４７によりディジタルＴＥ信号に変換し、セレクタ４９によってディジタルＴＥ信号、又は極性を反転してなるディジタルＴＥ信号のいずれかをＭ系列乱数データＭＺを基準にして選択することにより、ディスク識別符号ＥＤの論理レベルを多値のデータにより表現してなる再生データＲＸを再生する。
【０１３９】
光ディスク再生装置３１は、この再生データＲＸをアキュムレータ５３及び加算器５２により１秒単位で累積し、これによりＳＮ比が改善される。また光ディスク再生装置３１は、この累積結果が２値化回路５４により２値化されてディスク識別符号ＥＤを復号した後、ＥＣＣ回路５５により誤り訂正処理を行い、システム制御回路４０に出力する。この結果光ディスク再生装置３１は、光ディスク１００Ｃに記録された符号マークＭＫからディスク識別符号ＥＤを復号化することができ、当該光ディスク１００Ｃの正当性を判断することができる。
【０１４０】
（１−６）動作及び効果
以上の構成において、符号マーク記録装置６は、主のデータ列に応じた長さによる記録マークとしてのピット５及びスペースＳｐが情報記録面３Ａのトラック中心線ＣＴＲ線上に形成されることにより主データ列が予め記録された光ディスク１００Ｃに対して、最長でなる長さ１１Ｔのピット５及びスペースＳｐの中心からディスク内外周方向に任意の距離だけずれた目標照射位置に光ビームＬを照射することにより、情報記録面３Ａの反射率を局所的に変化させて符号マークＭＫを形成し、光ディスク１００Ｃに副のデータ列である変調識別符号ＥＤｒを記録するようにした。
【０１４１】
これにより符号マーク記録装置６は、違法コピーすることが困難な状態で光ディスク１００Ｃに変調識別符号ＥＤｒを記録することができるため、光ディスク１００Ｃに基づいて不正光ディスク１００Ｘが作製されることを未然に防止し得る。
【０１４２】
すなわち符号マーク記録装置６は、トラック中心線ＣＴＲ線から任意の距離だけずれた目標照射位置に符号マークＭＫを形成するため、目標照射位置に光ビームＬを照射するための機構を有する必要がある。このため符号マーク記録装置６は、例えば一般的な光ディスク装置を改造して符号マーク記録装置６と同様の構成を有する装置を作製することを困難にすることができるため、トラック中心線ＣＴＲ線上に符号マークＭＫを形成する従来の方法と比して、一段と第三者による違法コピーの防止効果を高めることが可能となる。
【０１４３】
符号マーク記録装置６は、光ビームＬを出射する光源としてのレーザダイオード１６と、光ディスク１００Ｃに対して光ビームＬを集光して照射する対物レンズ１８と、対物レンズ１８を駆動する対物レンズ駆動部としてのレンズ駆動部１８Ａと、光ビームＬが光ディスク１００Ｃによって反射されてなる反射光ビームに基づいて、目標照射位置に光ビームＬを照射するようにレンズ駆動部１８Ａを制御すると共に、目標照射位置に照射される光ビームＬの出射光強度を大きく立ち上げるようレーザダイオード１６を制御する記録制御部１３とを有している。
【０１４４】
これにより符号マーク記録装置６は、トラック中心線ＣＴＲ線から任意の距離だけずれた目標照射位置に十分な出射光強度でなる光ビームＬを照射することができ、当該目標照射位置に符号マークＭＫを形成することができる。
【０１４５】
以上の構成によれば、符号マーク記録装置６は、情報記録面３Ａに予め主のデータ列がピット列として記録された光ディスク１００Ｃに対し、トラック中心線ＣＴＲ線から任意の距離だけずれた目標照射位置に光ビームＬを照射することにより、情報記録面３Ａに副のデータ列を表す符号マークＭＫをコピー困難な状態で形成することができる。この結果符号マーク記録装置６は、副のデータ列１つの情報記録面３Ａに２種類のデータ列を同時に記録することができると共に、第三者による光ディスク１００Ｃの違法な複製を困難にすることができ、かくして違法にデータが複製された光ディスクを作製困難にし得る光ディスク記録装置、記録方法、光ディスク及び光ディスク再生装置を実現できる。
【０１４６】
（２）第２の実施の形態
（２−１）仕上げ装置の構成
図１５〜図１７に示す第２の実施に形態では、図１〜図１６に示した第１の実施の形態と対応する部分に同一符号を附して示している。第２の実施の形態による符号マーク記録装置６０は、長さ９Ｔ以上のピット５を検出し、これらのピット５に変調識別符号ＥＤｒを記録する点が上述した第１の実施の形態とは異なっている。
【０１４７】
すなわち符号マーク記録装置６０は、図５に示した符号マーク記録装置６と同一の構成を有しており、システムコントローラ７に対応するシステム制御部６１によって全体を制御するようになされている。システム制御部６１は、再生信号ＲＦから検出されるサブコード情報を基準にして光ピックアップ１４の動作を制御し、これにより変調識別符号ＥＤｒの記録領域に設定された領域を順次２回ずつ光ピックアップ１４によりトレースする。
【０１４８】
このときシステム制御部６１は、第１回目のトレースにおいては、トレース信号Ｔ１を論理０に保持するのに対し、第１回目のトレースにより走査した箇所を続いて走査する第２回目のトレースにおいては、トレース信号Ｔ１を論理１に切り換える。なおここで第１回目のトレースは、長さ９Ｔ以上のピット５を検出するためのもので、第２回目のトレースは、この検出結果より長さ９Ｔ以上のピット５にディスク識別符号を追加記録するためのものである。
【０１４９】
図１５に示すように、９Ｔ以上パターン検出回路６２は、１回目のトレースにおいて、チャンネルクロック９Ｔ以上のパルス幅を検出することにより、長さ９Ｔ以上のピットを検出する。
【０１５０】
すなわち図１６に示すように、９Ｔ以上パターン検出回路６２は、縦続接続された１３段のフリップフロップ６４Ａ〜６４Ｍを有しており、これらフリップフロップ６４Ａ〜６４Ｍの初段に２値化信号ＢＤが２値化回路１６から入力される。これらフリップフロップ６４Ａ〜６４Ｍは、チャンネルクロックＣＫに同期して順次入力データを転送する。
【０１５１】
アンド回路６５Ａ〜６５Ｃは、それぞれこれらフリップフロップ６４Ａ〜６４Ｍの出力を入力して論理積信号を出力する。このときアンド回路６５Ａは、初段、２段目、１２段目、最終段のフリップフロップ６４Ａ、６４Ｂ、６４Ｌ、６４Ｍより出力される出力については、論理レベルを反転して入力し、これにより論理「００１１１１１１１１１００」の出力が得られた場合、すなわち長さ９Ｔのピット形状に対応する論理レベルが連続した場合、論理積信号の論理レベルを立ち上げる。
【０１５２】
続くアンド回路６５Ｂは、初段、１２段目、最終段のフリップフロップ６４Ａ、６４Ｌ、６４Ｍより出力される出力については、論理レベルを反転して入力し、これにより論理「００１１１１１１１１１１０」の出力が得られた場合、すなわち長さ１０Ｔのピット形状に対応する論理レベルが連続した場合、論理積信号の論理レベルを立ち上げる。
【０１５３】
アンド回路６５Ｃは、初段、最終段のフリップフロップ６４Ａ、６４Ｍから出力される出力については、論理レベルを反転して入力し、これにより論理「０１１１１１１１１１１１０」の出力が得られた場合、すなわち長さ１１Ｔのピット形状に対応する論理レベルが連続した場合、論理積信号の論理レベルを立ち上げる。
【０１５４】
オア回路６６は、アンド回路６５Ａ〜６５Ｃより出力される出力信号の論理和を演算することにより、長さ９Ｔ、１０Ｔ、１１Ｔの何れかのピットが検出されると、論理「１」となるような論理和信号ＭＤをフリップフロップ６７に供給する。フリップフロップ６７は、この論理和信号ＭＤをチャンネルクロックＣＫでサンプリングして、波形整形することによりグリッジノイズなどの影響を除去して、検出パルスＮＰを９Ｔ以上パターン予測回路６３に供給する。
【０１５５】
９Ｔ以上パターン予測回路６３（図１５）は、システム制御部６１から出力されるトレース信号Ｔ１の論理レベルに応じて動作を切り換えることにより、第１回目のトレースにおいては、長さ９Ｔ以上のピットについて、位置情報を記録するのに対し、第２回目のトレースにおいては、この記録した位置情報に基づいて、変調識別符号ＥＤｒを記録するタイミング信号ＥＰを出力する。
【０１５６】
すなわち図１７に示すように、９Ｔ以上パターン予測回路６３において、サブコード情報検出回路６９は、チャンネルクロックＣＫを基準にして２値化信号ＢＤを処理することにより、サブコード情報として記録されている光ディスク１００Ｃの位置情報（フレーム（ＡＦＲＡＭＥ）、秒（ＡＳＥＣ）、分（ＡＭＩＮ））を再生する。ここでフレーム（ＡＦＲＡＭＥ）は、１秒間を７５等分にした位置情報である。またサブコード情報検出回路６９は、サブコード情報に含まれるＳ０フラグ（サブコーディングの同期パターンでなる）をデコードし、サブコード情報の１フレームを示すサブコード情報フラグＳ０ＦＬＡＧとしてカウンタ７２に供給する。
【０１５７】
同期パターン検出回路７０は、チャンネルクロックＣＫを基準にして２値化信号ＢＤの連続する論理レベルを監視することにより、シンクフレームを検出し、各フレームの開始のタイミングで信号レベルが立ち上がるシンクフレーム検出信号ＳＹを同期パターン予測回路７１に供給する。
【０１５８】
同期パターン予測回路７１は、このシンクフレーム検出信号ＳＹを基準にしてチャンネルクロックをカウントするリングカウンタにより構成され、これによりディフェクト等により同期パターン検出回路７０でシンクフレームが検出されない場合でも、シンクフレーム周期性を利用して欠落のないフレームパルスＦＰをカウンタ７２に送出することができる。
【０１５９】
カウンタ７２は、フレームパルスＦＰを基準にしてチャンネルクロックＣＫをカウントアップするリングカウンタにより構成され、これにより１つのＥＦＭフレームの中を５８８分割するような位置情報でなるカウント値ＥＦＭＣをメモリ７４に供給する。さらにカウンタ７２は、サブコード情報フラグＳ０ＦＬＡＧを基準にしてフレームパルスＦＰをカウントアップし、これにより１のＣＤフレームを９８等分する位置情報でなるカウント値ＣＤＣを生成し、メモリ７４に供給する。
【０１６０】
カウンタ７２は、このようにしてカウント値ＥＦＭＣ、ＣＤＣをメモリ７４に供給する際に、トレース信号Ｔ１が論理０の場合（すなわち第１回目のトレースの場合）、フレームパルスＦＰが立ち上がるタイミングでカウント値ＥＦＭＣが値０になるように、連続するチャンネルクロックＣＫをカウントアップする。一方カウンタ７２は、トレース信号Ｔ１が論理１の場合（すなわち第２回目のトレースの場合）、フレームパルスＦＰが立ち上がるタイミングでカウント値ＥＦＭＣが値７になるように、連続するチャンネルクロックＣＫをカウントアップする。
【０１６１】
ここでこの値７に対応するチャンネルクロックＣＫの７周期は、カウント値ＥＦＭＣにより特定される光ビームＬの照射位置に対して、このカウント値ＥＦＭＣによりタイミング信号ＥＰを出力して光ビームＬの光量が立ち上がるまでの遅延時間に相当する。これによりカウンタ７２は、第２回目のトレースにおいては、この遅延時間の分、カウント値ＥＦＭＣが進むようにチャンネルクロックＣＫをカウントアップする。
【０１６２】
メモリ７４は、サブコード情報検出回路６９による位置情報（フレーム（ＡＦＲＡＭＥ）、秒（ＡＳＥＣ）、分（ＡＭＩＮ））、カウンタ７２による位置情報でなるカウント値ＥＦＭＣ、ＣＤＣをアドレスにして検出パルスＮＰを記録するメモリにより構成され、トレース信号Ｔ１に応じて動作を切り換える。
【０１６３】
すなわちメモリ７４は、トレース信号Ｔ１が論理０の場合（すなわち第１回目のトレースの場合）、これらの位置情報をアドレスにして９Ｔ以上パターン検出回路６２より出力される検出パルスＮＰを記録する。これに対してメモリ７４は、トレース信号Ｔ１が論理１の場合（すなわち第２回目のトレースの場合）、これらの位置情報をアドレスにして保持した内容をタイミング信号ＥＰとして出力する。
【０１６４】
変調回路７５（図示せず）は、図１１について上述した変調回路２５と類似する構成でなる。すなわち変調回路７５は、所定段数のフリップフロップが縦続接続され、これらフリップフロップによりフレームパルスＦＰをチャンネルクロック周期で順次転送する。さらに変調回路７５は、これらフリップフロップの所定段数より出力を受け、これにより長さ９Ｔ以上のピット５において、このピット５の開始のエッジＥｇより長さ４Ｔだけ経過すると、１チャンネルクロックの周期Ｔだけ論理レベルが立ち上がるタイミング信号を生成する。
【０１６５】
さらに変調回路７５は、タイミング信号ＥＰを基準にしてＭ系列乱数データＭＳを生成し、このＭ系列乱数データＭＳを用いてディスク識別符号ＥＤを変調する。すなわちフリップフロップにより生成したタイミング信号によりこの変調結果をゲートし、出力信号ＭＸとして出力する。
【０１６６】
これにより符号マーク記録装置６０は、（５）式について説明した条件を満足する長さ９Ｔ以上のピット５について、変調識別符号ＥＤｒを記録するようになされている。
【０１６７】
すなわち符号マーク記録装置６０は、長さ９Ｔ以上のピット５において開始側のエッジＥｇより長さ４Ｔだけ離間してかつディスク内外周方向にずれた位置に、長さ１Ｔだけ反射率を変化させても、前後エッジＥｇの位置情報には何ら影響を与えることなく反射率を変化させることができる。またこの長さ９Ｔ以上のピット５においては、フレームシンクについての長さ１１Ｔのピット５及びスペースＳｐに比して発生頻度が高い特徴がある。これにより変調識別符号ＥＤｒの１ビットを表す符号マークＭＫを多くのピット５に記録でき、その分変調識別符号ＥＤｒの信頼性を向上することができる。
【０１６８】
かくするにつきこの実施の形態に係るＣＤを再生する場合においては、この符号マーク記録装置６０に適用した９Ｔ以上パターン検出回路６２と同一の構成によるパターン検出回路により９Ｔ以上のピットを検出し、このピット５についてトラッキングエラー信号ＴＥの信号レベルを検出してディスク識別符号ＥＤを再生することになる。
【０１６９】
（２−２）動作及び効果
以上の構成において、符号マーク記録装置６０は、長さ９Ｔ以上のピット５を検出し、トラック中心線ＣＴＲからディスク内外周方向に所定距離だけずれた目標照射位置に符号マークＭＫを形成することにより副のデータである変調識別符号ＥＤｒを記録するようにした。
【０１７０】
これにより第１の実施の形態における符号マーク記録装置６と比して、発生頻度の高い長さ９Ｔ〜１１Ｔのピット５について変調識別符号ＥＤｒを記録することができ、多くのデータ量でなる変調識別符号ＥＤｒを符号マークＭＫとして光ディスク１００Ｃに記録することが可能となる。
【０１７１】
また符号マーク記録装置６０は、９Ｔ以上であると検出したピット５のエッジＥｇより所定の離間長さだけ離間した位置を目標照射位置に設定することにより、ピット５の長さに応じてエッジＥｇから目標照射位置までの離間長さを変更する必要が無く、符号マーク記録装置６０としての構成を簡易にすることができる。
【０１７２】
また符号マーク記録装置６０は、必要に応じてディスク識別符号の１ビットに割り当てる時間を短くして光ディスク１００Ｃにおける変調識別符号ＥＤｒを短時間で記録できると共に、記録密度を向上することが可能となる。  
【０１７３】
この結果光ディスク再生装置３１は、光ディスク１００Ｃの限られた領域に変調識別符号ＥＤｒが記録されているため、短時間で変調識別符号ＥＤｒを読み出して当該光ディスク１００Ｃが正規の光ディスクであるか否かを迅速に判断することができる。
【０１７４】
以上の構成によれば、符号マーク記録装置６０は、長さ９Ｔ以上のピット５について符号マークＭＫを形成することにより、再生信号ＲＦに対する影響を殆ど与えることなく、かつ第１の実施の形態よりも高い記録密度で変調識別符号ＥＤｒを記録することが可能となる。
【０１７５】
（３）第３の実施の形態
（３−１）仕上げ装置の構成
図１８〜図１９に示す第３の実施に形態では、図１５〜図１７に示した第２の実施の形態と対応する部分に同一符号を附して示している。第３の実施の形態による仕上げ装置８０においては、予めトラック中心線ＣＴＲにサーボ用光ビームＬを照射するための読出用光ピックアップ８３Ａと、目標照射位置に記録用光ビームを照射するように位置決めされた２つの記録用光ピックアップ８３Ｂ及び８３Ｃを有しており、長さ９Ｔ以上のピット５の検出と符号マークＭＫの形成とを同時並行的に実行する点が第２の実施の形態と異なっている。
【０１７６】
すなわち仕上げ装置８０は、先行して再生信号ＲＦを読み出す読出用光ピックアップ８３Ａと、この読出用光ピックアップ８３Ａが走査した走査軌跡を所定時間だけ遅延して走査する記録用光ピックアップ８３Ｂ及び８３Ｃを有する。
【０１７７】
読出用光ピックアップ８３Ａが有する対物レンズ１８Ｘ（図示せず）と、記録用光ピックアップ８３Ｂ及び８３Ｃが有する対物レンズ１８Ｙ及び１８Ｚ（図示せず）は、同一のレンズホルダに保持され、同時に駆動されるようになされている。また記録用光ビームを照射する対物レンズ１８Ｙ及び１８Ｚは、サーボ用光ビーム照射する対物レンズ１８Ｘを中心としてディスク内外周方向における反対側にずれた位置にそれぞれ配置されている。
【０１７８】
また対物レンズ１８Ｘ、１８Ｙ及び１８Ｚは、サーボ用光ビームから所定距離だけディスク内外周方向に離隔して記録用光ビームが照射されると共に、同一位置に対し、サーボ用光ビームから所定時間だけ遅延して記録用光ビームが照射されるように位置決めされている。
【０１７９】
図１８に示すように、仕上げ装置８０は、読出用光ピックアップ８３Ａに基づいて光ビームＬがトラック中心線ＣＴＲに照射されるようサーボ制御を行う。また仕上げ装置８０は、サーボ用光ビームが光ディスク１００によって反射されてなるサーボ反射光ビームを読出用光ピックアップ８３Ａによって受光し、当該サーボ反射光ビームから得られる再生信号ＲＦを処理して、長さ９Ｔ以上のピット５を検出する。
【０１８０】
そして仕上げ装置８０は、検出された長さ９Ｔ以上のピット５について、記録制御部１３から供給される出力信号ＭＸ及び目標位置制御信号ＨＹに基づいて記録用光ピックアップ８３Ｂ及び８３Ｃにより変調識別符号ＥＤｒを記録するようになされている。
【０１８１】
すなわち図１９に示すように、仕上げ装置８０の記録制御部１３Ｙは、９Ｔ以上パターン検出回路６２の検出結果ＮＰをＦＩＦＯメモリ８４に入力し、所定時間遅延して変調回路１００に供給することにより、読出用の光ピックアップ８３Ａが走査した走査軌跡を記録用光ピックアップ８３Ｂ及び８３Ｃが走査するまでの遅延時間を補償する。
【０１８２】
図２０に示すように、変調回路２５（図１１）に対応する変調回路１００は、イクスクルーシブオア回路２７より出力される排他的論理和信号ＷＰを目標位置制御信号ＨＹとして光ピックアップ８３Ｂ及び８３Ｃの前段に設置された発光制御部８５に供給する。また変調回路１００は、オア回路２８の出力信号ＭＸを発光制御部８５に供給する。
【０１８３】
発光制御部８５（図１８）は、「０」でなる目標位置制御信号ＨＹ及び出力信号ＭＸが供給されると、記録用光ピックアップ８３Ｂを制御して例えばトラック中心線ＣＴＲからディスク外周方向に所定距離だけずれた目標照射位置に光ビームを照射し、符号マークＭＫを形成する。
【０１８４】
また発光制御部８５は、「１」でなる目標位置制御信号ＨＹ及び出力信号ＭＸが供給されると、記録用光ピックアップ８３Ｃを制御して例えばトラック中心線ＣＴＲからディスク内周方向に所定距離だけずれた目標照射位置に光ビームを照射し、符号マークＭＫを形成する。
【０１８５】
（３−２）動作及び効果
以上の構成において、仕上げ装置８０は、読出用光ピックアップ８３Ａによって光ディスク１００Ｃに対してサーボ制御用のサーボ用光ビームを照射し、当該サーボ用光ビームが光ディスク１００Ｃに反射されてなるサーボ反射光ビームに基づいて、サーボ光ビームをピット５及びスペースＳｐの中心であるトラック中心線ＣＴＲに照射する。
【０１８６】
また仕上げ装置８０は、光ピックアップ８３Ｂ及び８３Ｃによってサーボ光ビームから所定距離だけずれた位置に記録用光ビームを照射することにより、目標照射位置に記録用光ビームを照射する。
【０１８７】
これにより仕上げ装置８０は、読出用光ピックアップ８３Ａをサーボ制御及び再生ＲＦ信号の読出に専念させることができる。このため仕上げ装置８０は、サーボ制御を安定させてより正確な位置に符号マークＭＫを形成できると共に、サーボ用光ビームをトラック中心線ＣＴＲからずらす必要がないため、再生ＲＦ信号の品質を安定させることができる。
【０１８８】
また仕上げ装置８０は、読出用光ピックアップ８３Ａによるサーボ用光ビームの照射を、記録用光ピックアップ８３Ｂ及び８３Ｃによる記録用光ビームの照射よりも先行して実行するようにした。
【０１８９】
これによりサーボ用光ビームを照射してから記録用光ビームを照射するまでの時間に長さ９Ｔ以上のピットを検出することができるため、主のデータ列を１度だけ再生する間に符号マークＭＫを同時並行的に形成することができ、処理に要する時間を短縮することができる。
【０１９０】
以上の構成によれば、仕上げ装置８０は、読出用光ピックアップ８３Ａと記録用光ピックアップ８３Ｂ及び８３Ｃとを設け、読出用光ピックアップ８３Ａによってサーボ制御及び主のデータ列の読み出しを実行すると共に、記録用光ピックアップ８３Ｂ及び８３Ｃによって符号マークＭＫの形成を実行するようにした。これにより仕上げ装置８０は、主のデータ列を読み出すタイミングと符号マークＭＫを形成するタイミングをずらすことができるため、主のデータ列を１度読み出すだけで第２の実施の形態と同様に長さ９Ｔ以上でなるピット５に符号マークＭＫを形成することが可能となる。
【０１９１】
（４）他の実施の形態
なお上述の実施の形態においては、反射記録面にＣＤ−Ｒの膜構造を適用する場合について述べたが、本発明はこれに限らず、例えば相変化型光ディスクの膜構造を適用しても良い。
【０１９２】
また上述の第１の実施の形態においては、ピット５のエッジＥｇより長さ５Ｔ以上離間かつディスク内外周方向にずれた位置において情報記録面の反射率を局所的に変化させる場合、第２及び第３の実施の形態においては、ピット５のエッジＥｇより長さ４Ｔ以上離間かつディスク内外周方向にずれた位置において情報記録面の反射率を局所的に変化させる場合について述べたが、本発明はこれに限らず、ピット５のエッジＥｇより長さ３Ｔ以上離間かつディスク内外周方向にずれた位置において情報記録面の反射率を局所的に変化させても同様の効果を得ることができる。
【０１９３】
すなわちピット５のエッジＥｇに近接して情報記録面の反射率を局所的に変化させた場合、再生信号ＲＦにおいては、ジッタが発生することになる。しかしながら実際のＣＤプレイヤにおいては、ピット５からの再生信号ＲＦに若干のジッタが生じても、実質上は全く問題なくピット列によるデータを再生することができる。
【０１９４】
このジッタとの関連において、例えばＣＤの変調に使われているＥＦＭ（Eight to Fourteen Modulation）式では、最小反転間隔が３チャンネルクロックとされている。この最小反転間隔は、ピット５のエッジＥｇからこの最小反転間隔だけ離れた箇所で反射率変化等の変化が起きても、その変化によるジッタの発生がほとんど無視できる距離として規定されたものである。これによりピット５のエッジＥｇから最小反転間隔以上離れた場所かつディスク内外周方向にずれた位置にディスク識別符号ＥＤを追加記録すれば、ディスク識別符号ＥＤによるジッタの悪化を充分に小さい値に維持し得、ピット列によるデータを確実に再生することができる。従って例えばＣＤであれば、ピットのエッジＥｇより３チャンネルクロックに対応する距離だけ離間して局所的に反射率を変化させることにより、問題なく変調識別符号ＥＤｒを記録することができる。
【０１９５】
なおこのようにピット５のエッジＥｇより３チャンネルクロックに対応する距離だけ離間して変調識別符号ＥＤｒを記録する場合には、長さ７Ｔ以上のピット５及びスペースＳｐに変調識別符号ＥＤｒを記録することができる。
【０１９６】
さらに上述の第２及び第３の実施の形態においては、長さ９Ｔ以上のピット５にディスク識別符号を記録する場合について述べたが、本発明はこれに限らず、長さ９Ｔ以上のピット５及びスペースＳｐに記録するようにしてもよい。
【０１９７】
さらに上述の第２及び第３の実施の形態においては、長さ９Ｔ以上のピット５において、ピット５開始側のエッジＥｇより長さ４Ｔだけ離間して変調識別符号ＥＤｒを記録する場合について述べたが、本発明はこれに限らず、長さ９Ｔ以上の各ピット５の中央かつディスク内外周方向にずれた位置に記録するようにしてもよい。
【０１９８】
さらに上述の第１の実施の形態においては、予測可能なシンクフレーム部分にディスク識別符号を記録する場合について述べたが、本発明はこれに限らず、出現される信号を予め予測することが可能であれば、いかような信号にも適用することができる。例えば、ＣＤ上に記録された信号の全部、あるいは一部分が既知である場合には、光ディスク１００Ｃ上のピット列を予測することが可能となる。このような場合にも、本方法を適用して、ピットのエッジＥｇの部分から充分に離れた場所を予想して、予想された場所においてレーザ出力を瞬間的に増大させることにより、変調識別符号ＥＤｒを追加記録することが可能となる。
【０１９９】
さらに上述の実施の形態においては、所定長さ以上のピット５及びスペースＳｐで、１チャンネルクロック周期だけ局所的に情報記録面の反射率を変化させる場合について述べたが、本発明はこれに限らず、要は前エッジＥｇ及び後ろエッジＥｇより所定距離だけ離間して部分的に反射率を変化させれば、エッジＥｇ情報を損なうことなく変調識別符号ＥＤｒを記録することができることにより、例えば長さ９Ｔのピット５及びスペースＳｐについては、中央の長さ３Ｔの分だけ反射率を変化させてもよい。
【０２００】
さらに上述の実施の形態においては、トラック中心線ＣＴＲから所定距離だけディスク内外周方向にずれた位置に符号マークＭＫを形成するようにした場合について述べたが、本発明はこれに限らず、トラック中心線ＣＴＲから任意の距離だけディスク内外周方向にずれた位置に符号マークＭＫを形成するようにしてもよい。
【０２０１】
さらに上述の実施の形態においては、符号マークＭＫとして副のデータを１ビットずつ記録するようにした場合について述べたが、本発明はこれに限らず、例えば符号マークＭＫのマーク長を変化させることにより複数ビットずつ記録することも可能である。また符号マークＭＫのトラック中心線ＣＴＲからの距離を複数設定し、複数ビット分のデータを記録するようにしても良い。
【０２０２】
さらに上述の実施の形態においては、ディスク識別符号ＥＤを変調して変調識別符号ＥＤｒとして記録するようにした場合について述べたが、本発明はこれに限らず、ディスク識別符号ＥＤをそのまま記録するようにしても良い。また、ディスク識別符号ＥＤの変調方式についても特に制限はなく、種々の変調方式を用いることが可能である。
【０２０３】
さらに上述の実施の形態においては、ディスク識別符号ＥＤを記録する場合について述べたが、本発明はこれに限らず、主のデータを暗号化してピット５及びスペースＳｐとして記録し、この暗号化の解除に必要なキー情報を副のデータとして記録するようにしても良い。さらに副のデータとしては、キー情報の選択、復号に必要なデータを記録する場合等、暗号化の解除に必要な種々のデータを記録してもよい。
【０２０４】
さらに上述の実施の形態においては、光ディスク１００Ｃに対して、変調識別符号ＥＤｒを記録する場合について述べたが、本発明はこれに限らず、例えば光ディスク再生装置側に同様の機能を設け、例えば副のデータとしてデータの再生回数、コピー回数を記録するようにしてもよい。
【０２０５】
さらに上述の実施の形態においては、アキュムレータ５３による累積値を２値識別してディスク識別符号ＥＤでなる副のデータ列を再生する場合について述べたが、本発明はこれに限らず、この累積値を多値識別して副のデータ列を再生するようにしてもよい。
【０２０６】
さらに上述の実施の形態においては、ＥＦＭ変調してディジタルオーディオ信号を記録する場合について述べたが、本発明はこれに限らず、１−７変調、８−１６、２−７変調など、種々の変調に対して広く適用することができる。
【０２０７】
さらに上述の実施の形態においては、ピット５及びスペースＳｐにより所望の主のデータを記録する場合について述べたが、本発明はこれに限らず、例えば相変化方式や有機色素方方式でなる記録マーク及びスペースにより所望の主のデータを記録する場合にも広く適用することができる。
【０２０８】
さらに上述の実施の形態においては、ＣＤとその周辺装置に本発明を適用してオーディオ信号を記録する場合について述べたが、本発明はこれに限らず、ＤＶＤやＢＤ等、種々の光ディスク及びその周辺装置に広く適用することができる。
【０２０９】
さらに上述した第３の実施の形態においては、２つの記録用光ピックアップ８３Ｂ及び８３Ｃを設けるようにした場合について述べたが、本発明はこれに限らず、例えば読出用光ピックアップ８３Ａにおける対物レンズ１８Ｘとは別に対物レンズを駆動させる駆動部を設け、当該対物レンズを駆動することにより１つの記録用光ピックアップのみで第３の実施の形態と同様の構成を実現することが可能である。また、１つの記録用光ピックアップ内に２つの対物レンズを設け、目標位置制御信号ＨＹに応じて集光する対物レンズを切り替えるようにしても良い。
【０２１０】
さらに上述の実施の形態においては、記録部としての記録制御部１３及び光ピックアップ１４によって光ディスク記録装置としての符号マーク記録装置６を構成するようにした場合について述べたが、本発明はこれに限らず、その他種々の構成による記録部によって本発明の光ディスク記録装置を構成するようにしても良い。
【０２１１】
さらに上述の実施の形態においては、光源としてのレーザダイオード１６と、対物レンズとしての対物レンズ１８と、受光部としてのフォトディテクタ１７と、主再生部としての２値化回路３５、ＥＦＭ復調回路３７及びＥＣＣ回路３８と、副再生部としてのディスク識別符号再生回路４１と再生停止部としてのシステム制御回路４０とによって光ディスク再生装置としての光ディスク再生装置３１を構成するようにした場合について述べたが、本発明はこれに限らず、その他種々の構成による記録部によって本発明の光ディスク再生装置を構成するようにしても良い。
【産業上の利用可能性】
【０２１２】
本発明は、例えばＢＤやＤＶＤなど、種々の方式でなる光ディスクに利用することができる。
【図面の簡単な説明】
【０２１３】
【図１】コピー防止システムの構成を示す略線図である。
【図２】光ディスクの構成を示す略線図である。
【図３】符号マークの形成の説明に供する略線図である。
【図４】フレームの構成を示す略線図である。
【図５】仕上げ装置の全体構成を示す略線図である。
【図６】スポットと反射スポットの関係の説明に供する略線図である。
【図７】対物レンズの移動の説明に供する略線図である。
【図８】スポットの移動の説明に供する略線図である。
【図９】記録制御部の構成を示す略線図である。
【図１０】各信号と符号マークの関係を示す略線図である。
【図１１】第１の実施の形態による変調回路の構成を示す略線図である。
【図１２】出力テーブルを示す略線図である。
【図１３】第１の実施の形態による光ディスク再生装置の構成を示す略線図である。
【図１４】ディスク識別符号再生回路の構成を示す略線図である。
【図１５】第２の実施の形態による記録制御部の構成を示す略線図である。
【図１６】９Ｔ以上パターン検出回路の構成を示す略線図である。
【図１７】９Ｔ以上パターン予測回路の構成を示す略線図である。
【図１８】第３の実施の形態による光ピックアップの構成を示す略線図である。
【図１９】第３の実施の形態による記録制御部の構成を示す略線図である。
【図２０】第３の実施の形態による変調回路の構成を示す略線図である。
【符号の説明】
【０２１４】
１……コピー防止システム、２……カバー基板、３……反射記録層、３Ａ……情報記録面、４……基板、５……ピット、６、６０、８０……仕上げ装置、７……システムコントローラ、８……駆動制御部、１２……信号処理部、１３……記録制御部、１４……光ピックアップ、１５……レーザドライバ、１６……レーザダイオード、１７……フォトディテクタ、１７Ａ、１７Ｂ……検出領域、１８……対物レンズ、１８Ａ……レンズ駆動部、２４……ディスク識別符号発生回路、２５、１００……変調回路、２６……Ｍ系列発生回路、２７……イクスクルーシブオア回路、３０……ディジタルアナログ変換回路、３１……光ディスク再生装置、１００、１００Ｃ……光ディスク、ＥＤ……ディスク識別符号、Ｓｐ……スペース、Ｅｇ……エッジ、ＣＴＲ……トラック中心線、ＭＫ……符号マーク、ＭＸ……出力信号、ＨＸ、ＨＹ……目標位置制御信号。
【図１】
2009187634.tif 000007
【図２】
2009187634.tif 000008
【図３】
2009187634.tif 000009
【図４】
2009187634.tif 000010
【図５】
2009187634.tif 000011
【図６】
2009187634.tif 000012
【図７】
2009187634.tif 000013
【図８】
2009187634.tif 000014
【図９】
2009187634.tif 000015
【図１０】
2009187634.tif 000016
【図１１】
2009187634.tif 000017
【図１２】
2009187634.tif 000018
【図１３】
2009187634.tif 000019
【図１４】
2009187634.tif 000020
【図１５】
2009187634.tif 000021
【図１６】
2009187634.tif 000022
【図１７】
2009187634.tif 000023
【図１８】
2009187634.tif 000024
【図１９】
2009187634.tif 000025
【図２０】
2009187634.tif 000026